(57)【要約】      （修正有）【課題】扇風機ガード部の結合構成を提供する。【解決手段】主に、第一ガード部２０にはガードリング２０１が設置され、ガードリング２０１がＣ型に成形されることで２つの自由端及び継ぎ目部２３を有し、ガードリング２０１の内リング面及び外側リング面には複数の係合溝及び係合構造４０がそれぞれ設置され、第一ガード部２０に対応するように結合される第二ガード部３０のガードリング３０１はガードリング２０１の内側リング面の係合溝内に納置され、ガードリング２０１の２つの自由端は係合構造４０により継ぎ目部２３に緊迫して圧縮され、第一ガード部２０のガードリング２０１及び第二ガード部３０のガードリング３０１は緊迫して結合され、扇風機ガード部の結合構成の強度を高め、組み立てや解体を容易にする目的を達成させる。【選択図】図２
0003195289.tif 000002
【実用新案登録請求の範囲】
【請求項１】
Ｃ型のガードリングを有し、且つ前記ガードリングは２つの自由端により画成される継ぎ目部を有すると共に環状型であり且つ対応する結合側及び係合側を有し、前記結合側と前記係合側との間には内側リング面及び外側リング面を有すると共にこれらに連接され、前記ガードリングの前記内側リング面の近隣の係合側箇所には複数の係合溝が設けられ、前記ガードリングの前記結合側には網部が設けられる第一ガード部と、
環状型のガードリング及び網部を有し、前記ガードリングは前記第一ガード部のガードリングの複数の係合溝内に内設される第二ガード部と、
前記第一ガード部のガードリングの何れか一端の自由端の外側リング面に設置され、第一係合部材及び第二係合部材からなり、前記第一係合部材及び前記第二係合部材により前記２つの自由端に係合され、前記ガードリングの二の自由端は前記継ぎ目部に緊迫して圧縮され、前記第一ガード部のガードリングは前記第二ガード部のガードリングに緊迫して結合される係合構造と、を備えることを特徴とする扇風機ガード部の結合構成。
【請求項２】
前記第一ガード部のガードリングの２つの自由端には第一フック孔及び第二フック孔が設けられ、且つ前記ガードリングの外側リング面の内の何れか一端の自由端の前記継ぎ目部に隣接する箇所には連結部が設けられ、前記係合構造の前記第一係合部材の対応する両端は連結部及び引抜き部として成形され、前記連結部は２つの対向する連結用穴を有し、前記第一係合部材は前記２つの連結用穴の端部により前記ガードリングの連結部に枢設され、且つ前記第一係合部材は前記ガードリングに向けれられる第一締付部を有し、前記第一締付部には係合用凸部が設けられ、前記第二係合部材の対応する両端は連結部及び位置限定部として成形され、前記連結部は２つの対向する連結用穴を有し、前記第二係合部材は前記２つの連結用穴及び前記第一係合部材の前記２つの連結用穴により前記引抜き部の隣接箇所に枢設され、且つ前記第二係合部材は前記ガードリングに向けられる第二締付部を有し、前記第二締付部には係合用凸部が設けられ、
これにより、前記係合構造の第一締付部及び第二締付部は前記第一ガード部のガードリングの第一フック孔及び第二フック孔にそれぞれ対応して穿通して係合され、前記ガードリングの２つの自由端は前記継ぎ目部に緊迫して圧縮され、且つ第一ガード部のガードリングは前記第二ガード部のガードリングに緊迫して結合されることを特徴とする、請求項１記載の扇風機ガード部の結合構成。
【請求項３】
前記第一ガード部の連結部には連結用孔が成形され、前記第一係合部材の連結部は前記２つの対向する連結用穴及び前記２つの連結用穴に連結される連結用板を有し、前記２つの連結用穴には２つの対向する連結用孔及び２つの対向する連結孔が設けられ、且つ前記連結用孔は前記連結用穴の端部に設けられ、前記連結孔は前記連結用穴及び前記引抜き部の隣接箇所に設けられ、前記連結部には前記２つの連結用穴及び前記連結用板により連結口が画成され、前記第一係合部材は前記連結口により前記ガードリングの連結部に納置され、連結部材は前記連結用孔及び前記連結部の連結用孔に穿通して枢設され、前記第二係合部材の連結部は前記２つの対向する連結用穴を有し、前記２つの連結用穴には２つの対向する連結孔が設けられ、前記連結部には前記２つの連結用穴によりコ状切欠き部が形成され、前記第一係合部材の連結部は前記第二係合部材のコ状切欠き部内に納置され、前記第一係合部材及び前記第二係合部材の連結孔は連結部材により穿通して枢設されることを特徴とする、請求項２記載の扇風機ガード部の結合構成。
【請求項４】
前記第一ガード部の網部は放射状に配列される複数のガードの骨構成を有し、且つ前記複数のガードの骨の一端は前記ガードリングの中心に設置される第一結合部の周縁に対応するように結合され、他端は前記ガードリングの内側リング面に結合するように設置され、前記第二ガード部の網部は放射状に配列される複数のガードの骨構成を有し、且つ前記複数のガードの骨の一端は前記ガードリングの中心に設置される第二結合部の周縁に対応するように結合され、他端は前記ガードリングの周縁に結合されることを特徴とする、請求項１記載の扇風機ガード部の結合構成。
【請求項５】
前記第一ガード部のガードリングは複数の強化用リブを有し、前記強化用リブは前記結合側及び前記係合側の方向に沿うように連結されて内側リング面に設置されることを特徴とする、請求項１記載の扇風機ガード部の結合構成。
【考案の詳細な説明】
【技術分野】
【０００１】
本考案は、扇風機ガード部構成に関し、より詳しくは、操作が簡単な係合構造を利用する２つのガード部が緊迫して結合される扇風機ガード部の結合構成に関する。
【背景技術】
【０００２】
一般的な扇風機には、使用者が動作中のファンに誤って接触し怪我をするのを防ぐため、ファンの前後にガード部構成が設置される。図１は従来の直立式扇風機のガード部構成１０であり、前ガード部１１及び後ガード部１２を備える。前ガード部１１は前ガードリング１１１及び放射状に配列される複数のガードの骨１１２の構成を有し、後ガード部１２は後ガードリング１２１及び放射状に配列され複数のガードの骨１２２の構成を各々有する。図１の左上の部分断面構造図に示すように、従来のガード部構成１０は前ガード部１１及び後ガード部１２の前ガードリング１１１及び後ガードリング１２１の周縁のガードリング１３に構設されて前ガード部１１と後ガード部１２とを結合させる目的を達成させる。
【０００３】
さらに、ガードリング１３は環状に成形されると共に対応する外面１３１及び内面１３２を有し、内面１３２の両側には２つの位置きめ溝部１３３が設けられ、前ガード部１１及び後ガード部１２が有する弾性で変形する構造特性を利用し、前ガード部１１及び後ガード部１２の前ガードリング１１１及び後ガードリング１２１をガードリング１３の２つの位置きめ溝部１３３内に圧入させ、ガードリング１３の係合構造によりガード部構成１０を形成させる（図１参照）。
【先行技術文献】
【特許文献】
【０００４】
【特許文献１】なし
【考案の概要】
【考案が解決しようとする課題】
【０００５】
従来のガード部構成１０は前ガードリング１１１及び後ガードリング１２１がガードリング１３を位置きめ溝部１３３内に圧入させて完全な環状の構造を成形させるが、相当な変形能力を具備し適切な力量を加えねば変形して位置きめ溝部１３３に係入しない。しかしながら、従来のガード部構成１０の変形しやすい構造特性では、扇風機が傾倒してぶつかると受力し弾んで前ガード部１１及び後ガード部１２が分離してしまい、ファンが外に露出して危険であった。また、従来のガード部構成１０は前ガードリング１１１及び後ガードリング１２１をガードリング１３の位置きめ溝部１３３内に圧入させやすいが、正常に力を加えねば前ガード部１１及び後ガード部１２の構造が分離してしまい、解体してファンの埃を掃除するのが困難になり、さらに力の加え方を間違うとガード部構成１０が損壊してしまい、前ガード部１１及び後ガード部１２の結合強度及び使用上の安全性の問題に影響を及ぼした。
【０００６】
そこで、本考案者は上記の欠点が改善可能と考え、鋭意検討を重ねた結果、合理的設計で上記の課題を効果的に改善する本考案の提案に到った。
【０００７】
本考案は、上記の事情を考慮してなされたもので、上記課題解決のため、本考案は、扇風機ガード部の結合構成を提供することを主目的とする。すなわち、主に第一ガード部にガードリングが設置され、ガードリングがＣ型に成形されると共に２つの自由端及び継ぎ目部を有し、ガードリングの内側リング面及び外側リング面に複数の係合溝及び係合構造がそれぞれ設置されることで、第一ガード部に対応して結合される第二ガード部のガードリングはガードリングの内側リング面の係合溝内に納置され、ガードリングの２つの自由端は係合構造により継ぎ目部に緊迫して圧縮され、第一ガード部のガードリングと第二ガード部のガードリングとが緊迫して結合され、扇風機のガード部の結合構成の強度を高めつつ組み立てや解体が簡単になるという目的を達成させる。
【課題を解決するための手段】
【０００８】
上述した課題を解決し、目的を達成するために、本考案に係る扇風機ガード部の結合構成は、Ｃ型のガードリングを有し、且つ前記ガードリングは２つの自由端により画成される継ぎ目部を有すると共に環状型であり且つ対応する結合側及び係合側を有し、前記結合側と前記係合側との間には内側リング面及び外側リング面を有すると共にこれらに連接され、前記ガードリングの前記内側リング面の近隣の係合側箇所には複数の係合溝が設けられ、前記ガードリングの前記結合側には網部が設けられる第一ガード部と、環状型のガードリング及び網部を有し、前記ガードリングは前記第一ガード部のガードリングの複数の係合溝内に内設される第二ガード部と、前記第一ガード部のガードリングの何れか一端の自由端の外側リング面に設置され、第一係合部材及び第二係合部材からなり、前記第一係合部材及び前記第二係合部材により前記２つの自由端に係合され、前記ガードリングの二の自由端は前記継ぎ目部に緊迫して圧縮され、前記第一ガード部のガードリングは前記第二ガード部のガードリングに緊迫して結合される係合構造を備えることを特徴とする。
【０００９】
好ましくは、第一ガード部のガードリングの２つの自由端には第一フック孔及び第二フック孔が設けられ、且つガードリングの外側リング面の内の何れか一端の自由端の継ぎ目部に隣接する箇所には連結部が設けられ、係合構造の第一係合部材の対応する両端は連結部及び引抜き部として成形され、連結部は２つの対向する連結用穴を有し、第一係合部材は２つの連結用穴の端部によりガードリングの連結部に枢設され、且つ第一係合部材はガードリングに向けれられる第一締付部を有し、第一締付部には係合用凸部が設けられる。第二係合部材の対応する両端は連結部及び位置限定部として成形され、連結部は２つの対向する連結用穴を有し、第二係合部材は２つの連結用穴及び第一係合部材の２つの連結用穴により引抜き部の隣接箇所に枢設され、且つ第二係合部材はガードリングに向けられる第二締付部を有し、第二締付部には係合用凸部が設けられる。これにより、前記係合構造の第一締付部及び第二締付部は前記第一ガード部のガードリングの第一フック孔及び第二フック孔にそれぞれ対応して穿通して係合され、前記ガードリングの２つの自由端は前記継ぎ目部に緊迫して圧縮され、且つ第一ガード部のガードリングは前記第二ガード部のガードリングに緊迫して結合される。
【００１０】
好ましくは、本考案に係る扇風機ガード部の結合構成において、第一ガード部のガードリングの内側リング面には複数の強化用リブが設置され、強化用リブは結合側及び前記係合側の方向に沿うように連結されて内側リング面に設置され、ガードリングは強化用リブにより構造全体の強度の強化の目的を達成させる。
【考案の効果】
【００１１】
本考案によれば、扇風機ガード部の結合構成の強度を高めつつ組み立てや解体が簡易になる目的を達成させるという効果を奏する。
【図面の簡単な説明】
【００１２】
【図１】従来の扇風機ガード部及びその結合構造を示す概略図である。
【図２】本考案の第１実施形態による扇風機ガード部を示す外観斜視図である。
【図３】本考案の第１実施形態による扇風機ガード部の構造を示す展開図である。
【図４】本考案の第１実施形態による扇風機ガード部の構造を示す展開図である。
【図５】本考案の第１実施形態による扇風機ガード部を示す構成図である。
【図６】本考案の第１実施形態において、ガード部構成が係合されない状態を示す断面模式図である。
【図７】本考案の第１実施形態において、ガード部構成の一端が係合される状態を示す断面模式図である。
【図８】本考案の第１実施形態において、ガード部構成の２端が係合される状態を示す断面模式図である。
【考案を実施するための形態】
【００１３】
以下に図面を参照して、本考案を実施するための形態について、詳細に説明する。なお、本考案は、以下に説明する実施形態に限定されるものではない。
【００１４】
まず、本考案の扇風機ガード部の結合構成の第１実施形態について説明する。なお、本考案の第１実施形態の構成を図２から図８に示す。以下、図２ないし図７を参照しながら、本考案の扇風機ガード部の結合構成の実施形態を説明する。
【００１５】
図２ないし図４に示すように、本考案は主に直立式扇風機のガード部であり、扇風機ガード部の結合構成は第一ガード部２０、第二ガード部３０及び係合構造４０を備える。第一ガード部２０はＣ型のガードリング２０１を有し、ガードリング２０１は２つの自由端２１及び自由端２２により画成される継ぎ目部２３を有し、ガードリング２０１の２つの自由端２１及び自由端２２には第一フック孔２１１及び第二フック孔２２１が設けられる。ガードリング２０１は環状型であり且つ対向する結合側２４及び係合側２５を有し、結合側２４と係合側２５との間には内側リング面２６及び外側リング面２７を有すると共にこれらに連接され、ガードリング２０１の内側リング面２６の係合側２５に近接する箇所には複数の係合溝２６１が設けられ、ガードリング２０１の結合側２４には網部２０２が設置されると共にガードリング２０１の外側リング面２７の何れか１つの自由端２１／自由端２２の継ぎ目部２３に近接する箇所には連結部２７１が設けられる。本実施形態では、連結部２７１は第一フック孔２１１が設けられる自由端２１に位置される（図３参照）。
【００１６】
第二ガード部３０は環状型のガードリング３０１及び網部３０２を有し、第二ガード部３０のガードリング３０１は第一ガード部２０のガードリング２０１の複数の係合溝２６１に内設される。本実施形態によると、第二ガード部３０のガードリング３０１の断面は円形を呈する線フレーム構造であり、第一ガード部２０のガードリング２０１の各前記係合溝２６１は２つの板形凸部により画成されて形成され、第二ガード部３０のガードリング３０１を納置させる。しかしながら、ガードリング３０１の断面構造の形態は円形に限られず、他にも定位させて係合溝２６１に納置させるのに適した幾何学形態であればよく、例えば方形、矩形、楕円形等でもよい。
【００１７】
また、係合構造４０は第一ガード部２０のガードリング２０１の何れか１つの自由端２１／自由端２２の外側リング面２７に設けられると共に、トグル形態に成形される第一係合部材４０１及び第二係合部材４０２を備える。第一係合部材４０１の対応する両端は連結部４１及び引抜き部４２として成形され、連結部４１は２つの対向する連結用穴４１１及び連結用板４１２を有すると共に２つの連結用穴４１１に連接され、２つの連結用穴４１１には２つの対向する連結用孔４１３及び２つの対向する連結孔４１４が設けられ、且つ連結用孔４１３は連結用穴４１１の端部に設けられ、連結孔４１４は連結用穴４１１と引抜き部４２との隣接する箇所に設けられる。連結部４１には２つの連結用穴４１１及び連結用板４１２により連結口４１５が画成され、第一係合部材４０１は連結口４１５によりガードリング２０１の連結部２７１に納置され、連結部材４１６は連結用孔４１３及び連結部２７１に穿通して枢設される。第一係合部材４０１はガードリング２０１に向けられる第一締付部４３を有し、第一締付部４３には係合用凸部４３１が設置される。本実施形態では、引抜き部４２は上向き形態に成形され、引抜き操作に適しており、第一締付部４３は連結部４１と引抜き部４２との間に位置されると共に長矩形のブロック体に成形される（図４及び図６参照）。
【００１８】
第二係合部材４０２の対応する両端は連結部４４及び位置限定部４５として成形され、連結部４４は２つの対向する連結用穴４４１を有し、２つの連結用穴４１１には２つの対向する連結孔４４２が設けられ、連結部４４には２つの連結用穴４４１によりコ状切欠き部４４３が形成され、第一係合部材４０１の連結部４１は第二係合部材４０２のコ状切欠き部４４３内に納置され、第一係合部材４０１及び第二係合部材４０２の連結孔４１４及び連結孔４４２には連結部材４４４が穿通して枢設される。第二係合部材４０２はガードリング２０１に向けられる第二締付部４６を有し、第二締付部４６には係合用凸部４６１が設置される。本実施形態では、図４、図６に示すように、位置限定部４５は下向き形態に成形され、第二締付部４６は位置限定部４５の下方に位置されると共にカギ状のブロック体に成形される。
【００１９】
そこで、係合構造４０の第一締付部４３及び第二締付部４６は第一ガード部２０のガードリング２０１に穿設される第一フック孔２１１及び第二フック孔２２１にそれぞれ対応し、且つ第一締付部４３及び第二締付部４６は係合用凸部４３１及び係合用凸部４６１により第一フック孔２１１及び第二フック孔２２１の孔縁にそれぞれ係合されて定位され、ガードリング２０１の２つの自由端２１及び自由端２２は継ぎ目部２３に緊迫して圧縮され、且つ第一ガード部２０のガードリング２０１は第二ガード部３０のガードリング３０１に緊迫して結合される。
【００２０】
以上が本考案の実施形態の主な部材及びその形態の説明である。本考案の好ましい実施形態の操作方式及び効果については、図３ないし図５に図６から図８を組み合わせて図示し、以下に説明する。
【００２１】
図３、図４に示すように、第一ガード部２０及び第二ガード部３０を組み合わせる場合、まず第一ガード部２０のＣ型のガードリング２０１の弾性変形能力を利用し、ガードリング２０１を開き第二ガード部３０のガードリング３０１を対応するガードリング２０１の内側リング面２６の複数の係合溝２６１内に係合させ、図６のような組み合わせ構造を形成させる。この際ガードリング３０１はすでに係合溝２６１内に納置され、ガードリング２０１には継ぎ目部２３が明確に存在し、係合構造４は第一係合部材４０１のみによりガードリング２０１の連結部２７１に枢設され、ガードリング２０１との係合関係は形成されない。図７に示すように、第二係合部材４０２の第二締付部４６を押してガードリング２０１の第二フック孔２２１内に貫入させ、第一係合部材４０１に力をかけると、第一係合部材４０１は連結用孔４１３を軸心として枢動し、連結孔４１４から第二フック孔２２１までの直線距離を短縮させ、第二締付部４６を牽引して係合用凸部４６１と第二フック孔２２１の孔縁とを係合させて固定させる。
【００２２】
次は、図８に示すように、第一係合部材４０１の引抜き部４２に持続的に力をかけ、第一締付部４３を前記第一フック孔２１１に貫入させると、第一係合部材４０１の連結孔４１４から第二フック孔２２１までは最長の直線距離を有し、さらに第二締付部４６が牽引されて第二フック孔２２１が設けられる自由端２２は他の自由端２１に向けられて継ぎ目部２３に緊迫されて圧縮され、ガードリング２０１を第二ガード部３０のガードリング３０１に緊迫させて第一ガード部２０及び第二ガード部３０を結合させる目的を達成させる。そして、さらには、第一係合部材４０１は第一締付部４３の係合用凸部４３１及び第一フック孔２１１の孔縁の係合構造により、第一締付部４３及び第二締付部４６の反対方向にカギ状になる係合用凸部４３１及び係合用凸部４６１を利用し、ガードリング２０１の２つの自由端２１及び自由端２２が係合されて定位される。
【００２３】
本考案は前述の構造により結合強度に優れ、第一ガード部２０及び第二ガード部３０の結合の操作が簡単な構造を実現させる。第一ガード部２０及び第二ガード部３０を分離させたい場合、第一係合部材４０１の引抜き部４２を引くのみで、第一締付部４３を第一フック孔２１１から分離させ、第二係合部材４０２を第二フック孔２２１に容易に係合させて緊迫させることができ、ガードリング２０１の継ぎ目部２３を拡大させ、第二ガード部３０をガードリング２０１の係合溝２６１から取り出せる。これにより本考案は第一ガード部２０及び第二ガード部３０の容易な解体効果を有し、無理に力をかけることでガードリングの構造が損壊する問題を同時に回避させる。
【００２４】
また、本考案の第一ガード部２０の網部２０２は複数の放射状に配列されるガードの骨２８及びガードリング２０１の中心に対応して設置される第一結合部２９の構成により、複数のガードの骨２８の一端は第一結合部２９の周縁に結合され、他端はガードリング２０１の内側リング面２６に結合されて設置される。第二ガード部３０の網部３０２は複数の放射状に配列されるガードの骨３１及びガードリング３０１の中心に対応して設置される第二結合部３２の構成により、複数のガードの骨３１の一端は第二結合部３２の周縁に結合され、他端はガードリング３０１の周縁に結合される。本実施形態の図２に示すように、第一結合部２９の直径は第二結合部３２の直径より大きく、第一結合部２９には扇風機ファンのモーター(図示せず)が貫設され、第二結合部３２にはブランドロゴを標示させる公示板(図示せず)が設置される。
【００２５】
ちなみに、本考案の係合構造４０が設置されるガードリング２０１は扇風機の前ガード部或いは後ガード部に設置される（図２参照）。即ち、第一ガード部２０は直径の大きな第一結合部２９に組み合わされて後側ガード部となり、第二ガード部３０は直径の小さな第二結合部３２に組み合わされて前側ガード部となり、前側ガード部(第二ガード部３０)のガードリングが後側ガード部(第一ガード部２０)のガードリング(ガードリング２０１)に納置され緊迫して結合される組み合わせ形態を形成させる。或いは、第一ガード部２０は直径の小さな第二結合部３２に組み合わされて前側ガード部となり、第二ガード部３０は直径の大きな第一結合部２９に組み合わされて後側ガード部となり、前側ガード部(第一ガード部２０)のガードリング(ガードリング２０１)が後側ガード部(第二ガード部３０)のガードリングに納置され緊迫して結合される組み合わせ形態を形成させる。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１０    ガード部構成
１１    前ガード部
１１１  前ガード部リング
１１２  ガードの骨
１２    後ガード部
１２１  後ガードリング
１２２  ガードの骨
１３    ガードリング
３１    外面
１３２  内面
１３３  位置きめ溝部
２０    第一ガード部
２０１  ガードリング
２０２  網部
２１    自由端
２１１  第一フック孔
２２    自由端
２２１  第二フック孔
２３    継ぎ目部
２４    結合側
２５    係合側
２６    内側リング面
２６１  係合溝
２６２  強化用リブ
２７    外側リング面
２７１  連結部
２７２  連結用孔
２８    ガードの骨
２９    第一結合部
３０    第二ガード部
３０１  ガードリング
３０２  網部
３１    ガードの骨
３２    第二結合部
４０    係合構造
４０１  第一係合部材
４０２  第二係合部材
４１    連結部
４１１  連結用穴
４１２  連結用板
４１３  連結用孔
４１４  連結孔
４１５  連結口
４１６  連結部材
４２    引抜き部
４３    第一締付部
４３１  係合用凸部
４４    連結部
４４１  連結用穴
４４２  連結孔
４４３  コ状切欠き部
４４４  連結部材  
４５    位置限定部  
４６    第二締付部  
４６１  係合用凸部  
【図１】
0003195289.tif 000003
【図２】
0003195289.tif 000004
【図３】
0003195289.tif 000005
【図４】
0003195289.tif 000006
【図５】
0003195289.tif 000007
【図６】
0003195289.tif 000008
【図７】
0003195289.tif 000009
【図８】
0003195289.tif 000010